(57)【要約】【課題】  使用時の展開操作が容易なフェイスパックマスクの折り畳み構造を提供する。【解決手段】  フェイスパックマスク５の左領域５ｆは、縦の折り曲げ線７Ｌ，８Ｌで、中央領域５ｅの左半分の上面に内折りをした後に外折りをして折り畳み、右領域５ｇは、縦の折り曲げ線７Ｒ，８Ｒで、中央領域５ｅの右半分の上面に内折りをした後に外折りをして折り畳み、外折りの左端部５ｈと右端部５ｉとを内折りの外縁部５ｊ，５ｋよりも左右方向にそれぞれ突出させるとともに、この折り畳み後に、横の折り曲げ線９で、２つ重ねで折り畳む。【選択図】  図５
2006042981.tif 000002
【特許請求の範囲】
【請求項１】
顔面形状に形成され、化粧水を含浸させた不織布シートを使用者の顔面に貼り付けるフェイスパックマスクであって、
フェイスパックマスクの左領域は、縦の折り曲げ線で、中央領域の左半分の上面に内折りをした後に外折りをして折り畳み、右領域は、縦の折り曲げ線で、中央領域の右半分の上面に内折りをした後に外折りをして折り畳み、外折りの左端部と右端部とを内折りの外縁部よりも左右方向にそれぞれ突出させるとともに、この折り畳み後に、横の折り曲げ線で、２つ重ねで折り畳むことを特徴とするフェイスパックマスクの折り畳み構造。
【請求項２】
上記２つ重ねの折り畳みは、内折りと外折り部分が外側になることを特徴とする請求項１記載のフェイスパックマスクの折り畳み構造。
【発明の詳細な説明】
【技術分野】
【０００１】
本発明は、使用時の展開操作が容易なフェイスパックマスクの折り畳み構造に関する。
【背景技術】
【０００２】
従来、顔面形状に形成され、化粧水を含浸させた不織布シートを使用者の顔面に貼り付けるフェイスパックマスクがある（特許文献１参照）。
【０００３】
図８（ａ）に示すように、上記フェイスパックマスク１は、同図（ｂ）のように、縦の折り曲げ線２で右領域１ａを中央領域１ｃの下面側に折り畳み、同図（ｃ）のように、縦の折り曲げ線３で左領域１ｂを中央領域１ｃの上面側に折り畳み、同図（ｄ）のように、横の折り曲げ線４で２つ重ねで折り畳むようになっている。すなわち、同図（ｃ）の段階では、同図（ｅ）のように、中央領域１ｃの下面に右領域１ａが折り畳まれ、中央領域１ｃの上面に左領域１ｂが折り畳まれることにより、３枚重ねで逆Ｚ字状に折り畳まれていることになる。
【０００４】
そして、上記フェイスパックマスク１を使用時に展開操作する際には、図９（ａ）のように、右領域１ａと左領域１ｂの外縁部からそれぞれ外方に突出させた摘み１ｄ，１ｅを使用者の右指Ｒと左指Ｌとでそれぞれ摘んで、同図（ｂ）のように、左右方向に引っ張ると、図１０（ａ）のように、上半分と下半分とが重なり合ったままで横方向に展開でき、その後、同図（ｂ）のように、上半分を上に開くと、展開操作が完了するようになる。
【特許文献１】特開２００４−２２５３号公報
【発明の開示】
【発明が解決しようとする課題】
【０００５】
しかしながら、上記折り畳まれたフェイスパックマスク１は、化粧水の含浸で濡れていることから、重なり合った不織布シート同士が強く引っ付いている。
【０００６】
したがって、図９（ａ）→同図（ｂ）→図１０（ａ）のように、摘み１ｄ，１ｅを左右方向に引っ張って横方向に展開するときの引っ張り抵抗が強く、強く引っ張り過ぎると、目、鼻、口などの開口部や切り込み部などから簡単に破れることもあって、展開操作が非常に困難であった。なお、図９（ｂ）の状態では、左右均等に展開されるはずであったが〔後述する図６（ｂ）参照〕、実際に何回か試みたが、引っ張り抵抗が強かったことから、左右不均等にしか展開できなかったので、そのままを描いた。
【０００７】
この原因は、中央領域１ｃの下面に右領域１ａの全面が引っ付き、中央領域１ｃの上面に左領域１ｂの全面が引っ付き、加えて２つ重ね折りで、中央領域１ｃ同士と右領域１ａ同士との全面が引っ付くから、摘み１ｄ，１ｅを左右方向に引っ張ることで、これらの引っ付きを同時に引き剥がさなければならないからである。
【０００８】
加えて、右領域１ａと左領域１ｂと中央領域１ｃとが３枚重ねで逆Ｚ字状に折り畳まれているから、フェイスパックマスク１の横幅Ｗ１〔図１（ａ）参照〕の１／３の折り畳み幅Ｗ２〔図１（ｄ）参照〕の範囲で引っ付いているので、これらの引っ付きを引き剥がすために、摘み１ｄ，１ｅを左右方向に引っ張る距離（それぞれ折り畳み幅Ｗ２と同じ距離）が長くなるからである。
【０００９】
そこで、摘み１ｄ，１ｅを上下互い違いに形成して、左右斜め方向に引っ張ることで、引っ付きを剥がしやすくする工夫がなされているが、この工夫があっても、実際には引っ張り抵抗がさほど弱くならないので、展開操作が困難であった。
【００１０】
このため、使用者の多くは、先に図８（ｃ）のように２つ重ね折りを展開する操作をし、この状態で摘み１ｄ，１ｅを左右方向に引っ張って横方向に展開する操作をしているというのが実状であって、使用時の展開操作が容易ではなかった。
【００１１】
本発明は、上記問題を解消するためになされたもので、使用時の展開操作が容易なフェイスパックマスクの折り畳み構造を提供することを課題とするものである。
【課題を解決するための手段】
【００１２】
上記課題を解決するために、請求項１の発明は、顔面形状に形成され、化粧水を含浸させた不織布シートを使用者の顔面に貼り付けるフェイスパックマスクであって、
フェイスパックマスクの左領域は、縦の折り曲げ線で、中央領域の左半分の上面に内折りをした後に外折りをして折り畳み、右領域は、縦の折り曲げ線で、中央領域の右半分の上面に内折りをした後に外折りをして折り畳み、外折りの左端部と右端部とを内折りの外縁部よりも左右方向にそれぞれ突出させるとともに、この折り畳み後に、横の折り曲げ線で、２つ重ねで折り畳むことを特徴とするものである。
【００１３】
請求項２の発明は、請求項１記載のフェイスパックマスクの折り畳み構造であって、上記２つ重ねの折り畳みは、内折りと外折り部分が外側になることを特徴とするものである。
【発明の効果】
【００１４】
請求項１の発明によれば、フェイスパックマスクの左領域は、縦の折り曲げ線で、中央領域の左半分の上面に内折りをした後に外折りをして折り畳み、右領域は、縦の折り曲げ線で、中央領域の右半分の上面に内折りをした後に外折りをして折り畳み、外折りの左端部と右端部とを内折りの外縁部よりも左右方向にそれぞれ突出させるから、この段階では、中央領域の左半分の上面に、中央領域と左領域とが３枚重ねでＺ字状に折り畳まれているとともに、中央領域の右半分の上面に、中央領域と右領域とが３枚重ねで逆Ｚ字状に折り畳まれていることになる。この折り畳み後に、横の折り曲げ線で、２つ重ねで折り畳む。
【００１５】
そして、フェイスパックマスクを使用時に展開操作する際には、左領域の左端部と右領域の右端部とを使用者の左指と右指とでそれぞれ摘んで、左右方向に引っ張ると、上半分と下半分とが重なり合ったままで横方向に展開でき、その後、上半分を上に開くと、展開操作が完了するようになる。
【００１６】
このとき、中央領域の上面の左半分に左領域が２つ折り状態で引っ付き、中央領域の上面の右半分に右領域が２つ折り状態で引っ付き、内折りと外折り部分が外側になる２つ重ね折りであれば、中央領域同士の全面が引っ付くことになる。
【００１７】
しかし、左端部と右端部とを左右方向に引っ張ることで、左端部では左領域の引っ付きを引き剥がすのみであり、右端部で右領域の引っ付きを引き剥がすのみであって、中央領域同士の２つ重ね折りの引っ付きは引き剥がす必要がない。
【００１８】
加えて、左領域は中央領域の左半分の上面にＺ字状に折り畳まれ、右領域は中央領域の右半分の上面に逆Ｚ字状に折り畳まれているから、フェイスパックマスクの横幅の略１／６づつの折り畳み幅の範囲で引っ付いているだけであるので、これらの引っ付きを引き剥がすために、左端部と右端部とを左右方向に引っ張る距離（それぞれ折り畳み幅と同じ距離）が短くなる。
【００１９】
この結果、左端部と右端部とを左右方向に引っ張って横方向に展開するときの引っ張り抵抗が弱くなるので、使用時に従来のような２つ重ね折りを展開する操作をしなくても、左端部と右端部とを左右方向に軽く引っ張るだけ良いので、展開操作が容易に行えるとともに、強く引っ張り過ぎることに起因する目、鼻、口などの開口部や切り込み部からの破れも無くなるようになる。
【００２０】
また、従来のように、右領域と左領域の外縁部からそれぞれ外方に突出させた摘みが不要であるから、材料取りの無駄が少なくなって、コスト安に製造できるようになる。
【００２１】
請求項２の発明によれば、２つ重ねの折り畳みは、内折りと外折り部分が外側になるようにすれば、左端部と右端部とを左右方向に引っ張るときに、中央領域同士の２つ重ね折りの引っ付きは引き剥がす必要がないので、横方向に展開するときの引っ張り抵抗が弱くなる。
【発明を実施するための最良の形態】
【００２２】
以下、本発明を実施するための最良の形態について、図面を参照しながら詳細に説明する。
【００２３】
図１（ａ）は、フェイスパックマスク５の正面図、（ｂ）は（ａ）の底面図である。上記フェイスパックマスク５は、従来と同様の不織布シートで略円形の顔面形状に形成されて、目の開口部５ａ、鼻の切り込み部５ｂ、口の開口部５ｃ、周縁部分を顔面輪郭に沿わせるために切り込み部５ｄなどが形成されている。なお、フェイスパックマスク５は、この形状に限られるものではなく、例えば、上記従来技術のフェイスパックマスク１から摘み１ｄ，１ｅを省略したような形状であっても良い。
【００２４】
上記フェイスパックマスク５には、左右方向の中央に位置する中央線６を設定し、この中央線６から左右方向にそれぞれ凡そ３分割する。
【００２５】
すなわち、中央線６から左右方向にそれぞれ１／３弱の幅の位置に、縦の内折り曲げ線７Ｌ，７Ｒを設定し、この縦の内折り曲げ線７Ｌ，７Ｒからさらに左右方向にそれぞれ１／３弱の幅の位置に、縦の外折り曲げ線８Ｌ，８Ｒを設定する。
【００２６】
この結果、縦の外折り曲げ線８Ｌと左端部５ｈとの間、および縦の外折り曲げ線８Ｒと右端部５ｉとの間は、それぞれ１／３強の幅となる。
【００２７】
そして、中央線６を挟んだ縦の内折り曲げ線７Ｌ，７Ｒの間が中央領域５ｅ、縦の内折り曲げ線７Ｌと左端部５ｈとの間が左領域５ｆ、縦の内折り曲げ線７Ｒと右端部５ｉとの間が右領域５ｇとなる。
【００２８】
上記フェイスパックマスク５を折り畳むには、図２（ａ）（ｂ）のように、左領域５ｆは、縦の内折り曲げ線７Ｌで内折りした後に、図３（ａ）（ｂ）のように、縦の外折り曲げ線８Ｌ（中央線６より僅かに左側）で外折りして折り畳む。つまり、中央領域５ｅの左半分の上面に、左領域５ｆを内折りをした後に外折りして折り畳む。
【００２９】
同様に、図４（ａ）（ｂ）のように、右領域５ｇは、縦の内折り曲げ線７Ｒで内折りした後に、縦の外折り曲げ線８Ｒ（中央線６より僅かに右側）で外折りして折り畳む。つまり、中央領域５ｅの右半分の上面に、右領域５ｇを内折りをした後に外折りして折り畳む。
【００３０】
この左領域５ｆと右領域５ｇの折り畳み順序は、上記と逆であっても良いし、同時であっても良い。
【００３１】
そして、縦の内折り曲げ線７Ｌ，７Ｒと縦の外折り曲げ線８Ｌ，８Ｒとの幅の位置を上記のように設定することで、外折りの左端部５ｈと右端部５ｇとが内折りの外縁部５ｊ，５ｋよりも左右方向にそれぞれ突出されて、これが摘みを形成するようになる。
【００３２】
この段階では、中央領域５ｅの左半分の上面に、中央領域５ｅと左領域５ｆとが３枚重ねでＺ字状に折り畳まれているとともに、中央領域５ｅの右半分の上面に、中央領域５ｅと右領域５ｇとが３枚重ねで逆Ｚ字状に折り畳まれていることになる。
【００３３】
この折り畳み後に、横の折り曲げ線９で、図５（ａ）（ｂ）のように、内折りと外折り部分が外側となるように２つ重ねで折り畳む。なお、図３（ｂ）、図４（ｂ）、図５（ｂ）では、折り畳み状態を明確にするために、折り畳み隙間を誇張して描いているが、実際には、不織布シートを６枚重ねした偏平な厚みｔ（例えば２ｍｍ厚程度）で折り畳まれているものである。
【００３４】
上記のようなフェイスパックマスク５の折り畳み構造であれば、フェイスパックマスク５を使用時に展開操作する際には、図６（ａ）のように、左領域５ｆの左端部５ｈと右領域５ｇの右端部５ｉとを使用者の左指Ｌと右指Ｒとでそれぞれ摘んで、図６（ｂ）のように、左右方向に引っ張ると、左右均等に展開されて、図７（ａ）のように、上半分と下半分とが重なり合ったままで横方向に展開でき、その後、図７（ｂ）のように、上半分を上に開くと、展開操作が完了するようになる。
【００３５】
このとき、中央領域５ｅの上面の左半分に左領域５ｆが２つ折り状態で引っ付き、中央領域５ｅの上面の右半分に右領域５ｇが２つ折り状態で引っ付き、中央領域５ｅ同士の全面が引っ付くことになる。
【００３６】
しかし、左端部５ｈと右端部５ｉとを左右方向に引っ張ることで、図６（ｂ）で明らかななように、左端部５ｈでは左領域５ｆの引っ付きを引き剥がすのみであり、右端部５ｉで右領域５ｇの引っ付きを引き剥がすのみであって、中央領域５ｅ同士の２つ重ね折りの引っ付きは引き剥がす必要がない。
【００３７】
加えて、左領域５ｆは中央領域５ｅの左半分の上面にＺ字状に折り畳まれ、右領域は中央領域の右半分の上面に逆Ｚ字状に折り畳まれているから、フェイスパックマスク５の横幅Ｗ〔図１（ａ）参照〕の略１／６づつの折り畳み幅Ｗ３〔図５（ｂ）参照〕の範囲で引っ付いているだけであるので、これらの引っ付きを引き剥がすために、左端部５ｈと右端部５ｉとを左右方向に引っ張る距離（それぞれ折り畳み幅と同じ距離）が短くなる。
【００３８】
この結果、左端部５ｈと右端部５ｉとを左右方向に引っ張って横方向に展開するときの引っ張り抵抗が弱くなるので、使用時に従来のような２つ重ね折りを展開する操作をしなくても、左端部５ｈと右端部５ｉとを左右方向に軽く引っ張るだけ良いので、展開操作が容易に行えるとともに、強く引っ張り過ぎることに起因する目、鼻、口などの開口部５ａ，５ｃや切り込み部５ｂ，５ｄからの破れも無くなるようになる。
【００３９】
また、従来のように、左領域５ｆと右領域５ｇの外縁部からそれぞれ外方に突出させた摘み（１ｄ，１ｅ）が不要であるから、材料取りの無駄が少なくなって、コスト安に製造できるようになる。
【００４０】
さらに、２つ重ねの折り畳みを内折りと外折り部分が外側になるようにすれば、左端部５ｈと右端部５ｉとを左右方向に引っ張るときに、中央領域５ｅ同士の２つ重ね折りの引っ付きは引き剥がす必要がないので、横方向に展開するときの引っ張り抵抗が弱くなる。
【００４１】
この化粧水を含浸させたフェイスパックマスク５を数人の被験者に実際に使用してもらったところ、抵抗感が少なく、スムーズにサッと開きやすいとの好評を得た。
【００４２】
上記実施形態では、フェイスパックマスク５の左領域５ｆを中央領域５ｅの上面に折り畳み、右領域５ｇを中央領域５ｅの上面に折り畳んだが、左領域５ｆと右領域５ｇのいずれか一方を中央領域５ｅの下面に折り畳むことも可能である。また、左領域５ｆと右領域５ｇの折り畳みは、内折りと外折りが１回づつであったが、２回以上であっても可能である。さらに、左領域５ｆと右領域５ｇの折り畳みは、左右対称であったが、左右非対称であっても良い。
【００４３】
また、横の折り曲げ線９で内折りと外折り部分が外側になるように２つ重ねで折り畳んだが、内折りと外折り部分が内側になるように２つ重ねで折り畳むことの可能である。さらに、２つ重ねの折り畳みは、上下対称であったが、上下非対称であっても良い。
【図面の簡単な説明】
【００４４】
【図１】展開状態のフェイスパックマスクであり、（ａ）は正面図、（ｂ）は底面図である。
【図２】左領域を内折りしたフェイスパックマスクであり、（ａ）は正面図、（ｂ）は底面図である。
【図３】左領域を内折り後に外折りしたフェイスパックマスクであり、（ａ）は正面図、（ｂ）は底面図である。
【図４】左領域と右領域とを内折り後に外折りしたフェイスパックマスクであり、（ａ）は正面図、（ｂ）は底面図である。
【図５】２つ重ねで折り畳んだフェイスパックマスクであり、（ａ）は正面図、（ｂ）は底面図である。
【図６】展開操作するフェイスパックマスクであり、（ａ）は左端部と右端部を指で摘んだ正面図、（ｂ）は左右方向に引っ張る途中の正面図である。
【図７】展開操作するフェイスパックマスクであり、（ａ）は上半分と下半分とが重なり合ったままで横方向に展開した正面図、（ｂ）は上半分を上に開いて展開操作が完了した正面図である。
【図８】従来のフェイスパックマスクであり、（ａ）は展開状態の正面図、（ｂ）は右領域を中央領域の下面側に折り畳んだ正面図、（ｃ）は左領域を中央領域の上面側に折り畳んだ正面図、（ｄ）は２つ重ねで折り畳んだ正面図、（ｅ）は（ｄ）の底面図である。
【図９】展開操作する従来のフェイスパックマスクであり、（ａ）は摘みを指で摘んだ正面図、（ｂ）は左右方向に引っ張る途中の正面図である。
【図１０】展開操作する従来のフェイスパックマスクであり、（ａ）は上半分と下半分とが重なり合ったままで横方向に展開した正面図、（ｂ）は上半分を上に開いて展開操作が完了した正面図である。
【符号の説明】
【００４５】
５    フェイスパックマスク
５ｅ  中央領域
５ｆ  左領域
５ｇ  右領域
５ｈ  左端部
５ｉ  右端部
５ｊ，５ｋ  外縁部
７Ｌ，７Ｒ  縦の内折り曲げ線
８Ｌ，８Ｒ  縦の外折り曲げ線
９    横の折り曲げ線
【図１】
2006042981.tif 000003
【図２】
2006042981.tif 000004
【図３】
2006042981.tif 000005
【図４】
2006042981.tif 000006
【図５】
2006042981.tif 000007
【図６】
2006042981.tif 000008
【図７】
2006042981.tif 000009
【図８】
2006042981.tif 000010
【図９】
2006042981.tif 000011
【図１０】
2006042981.tif 000012